(57)【要約】【課題】  重いドア部材であっても、その下方に余分なスペースを必要とすることなく、バランス良く吊下でき、円滑に安定移動させられるスライド式ドアを提供すること。【解決手段】  略板状のドア部材30を複数枚と、そのドア部材30の上方に配設される略線状の吊りレール21とを備え、各ドア部材30の略上部に延設されるブラケット40を、吊りレール21のガイド条にスライド可能に係合させることにより、吊りレール21が、ドア部材30を上方から支持すると共に、ドア部材30の移動可能な方向をガイドしてドアの開閉に寄与させるスライド式ドアにおいて、各ドア部材30のブラケット40を、ドア部材30のスライド方向における両端近傍の２箇所を含む複数箇所に配設する。【選択図】  図３
2007277878.tif 000002
【特許請求の範囲】
【請求項１】
略板状のドア部材を複数枚と、そのドア部材の上方に配設される略線状の吊りレールとを備え、
各ドア部材の略上部に延設されるブラケットを吊りレールのガイド条にスライド可能に係合させることにより、吊りレールが、ドア部材を上方から支持すると共に、ドア部材の移動可能な方向をガイドしてドアの開閉に寄与させるスライド式ドアにおいて、
各ドア部材のブラケットが、ドア部材のスライド方向における両端近傍の２箇所を含む複数箇所に配設される
ことを特徴とするスライド式ドア。 
【請求項２】
複数のブラケットの配設位置の中央が、
ドア部材の重心の略鉛直上方に位置する
請求項１に記載のスライド式ドア。 
【請求項３】
吊りレールのガイド条が、
ドア開閉のためのスライドをガイドする一本のスライドガイド条と、
そのスライドガイド条から分岐する略線状であり、一方のドア部材のブラケットをそこに待避させることにより他方のドア部材のスライドへの干渉を抑止する待避ガイド条とを備える
請求項１または２に記載のスライド式ドア。
【請求項４】
ドア部材の下方に、ドア部材の移動をガイドする凹状の下部ガイドが、吊りレールのガイド条の配置に呼応した配置で設けられる
請求項１又は２又は３に記載のスライド式ドア。
【発明の詳細な説明】
【技術分野】
【０００１】
本発明は、引き戸や収納庫など、建具や家具類に用いられるスライド式のドアに関する。
【背景技術】
【０００２】
建具や家具類に用いられているドアには、板状のドア部材を回動させて開閉するタイプと、板面と平行にスライドさせて開閉するタイプとがある。
スライド式のドアにも、従来から種々の工夫がなされ、多様な構造のものが知られている。
【０００３】
図１（Ａ）は、従来のスライド式ドア下部の例を模式的に示した平面図である。
左右の壁等の固定構造物１０，１０の間に、直線状のレール２０，２０が敷設されていて、各レール２０の上に略板状のドア部材３０が乗せられている。どちらか一方のドア部材３０をレール２０に沿ってスライドさせることにより、ドアの開閉が司られる。
ドア部材３０の移動をガイドする手段としては、レール２０の代わりに敷居等を設けた例もあり、また、カーテンのように上方から吊り下げて吊り戸とした例もある。ドア部材３０がこのようにスライドするドア形式は、非特許文献１，２や、障子や襖などに用いられている通り公知である。
【０００４】
この種のドア形式は、２枚のドア部材３０，３０の各端部３１，３１が重なることによって、閉扉される。
そのため、２枚のドア部材端部３１，３１の間に隙間が生じることが避けられず、また、２枚のドア部材３０，３０が一平面に揃わず美観が芳しくない。
【０００５】
これに対し、図１（Ｂ）に示すように、ドアを閉じた時、２枚のドア部材３０，３０の各端面３２，３２が接して、ドア部材３０，３０が一平面に揃って閉じ、更に、ドアを全開した時には、２枚のドア部材３０，３０の全体が重なる形式のスライド式ドアが望まれている。
【０００６】
図２は、そのようなスライド式ドアの従来例を示す斜視説明図である。
ドアを閉じてドア部材３０，３０が重なった配置の場合、各ドア部材３０，３０を支持するブラケット４０，４０が衝突しないように、ブラケット４０によるドア部材３０の支持は片持ち支持であった。すなわち、ブラケット４０は、ドア部材３０の上部における端寄りの位置に１箇所設けられていた。
そのため、ブラケット４０への重量負荷の点で、ドア部材３０の重量に制約があったり、長期間の使用による歪みによって円滑なスライドに難を生じることがあった。また、ドア部材３０の安定移動のために、ドア部材３０の下方にもガイド手段を設置した方が好ましく、そのスペースを要していた。尚、前記スライド式ドアに関する技術が記載された文献としては下記文献が挙げられる。
【０００７】
【非特許文献１】建築学用語辞典  技報堂出版  １９９７年
【非特許文献２】建築大辞典  彰国社  １９９７年
【発明の開示】
【発明が解決しようとする課題】
【０００８】
そこで、本発明は、重いドア部材であっても、その下方に余分なスペースを必要とすることなく、バランス良く吊下でき、円滑に安定移動させられるスライド式ドアを提供することを課題とする。
【課題を解決するための手段】
【０００９】
上記課題を達成するため、本発明のスライド式ドアは次の構成を備える。
すなわち、略板状のドア部材を複数枚と、そのドア部材の上方に配設される略線状の吊りレールとを備え、各ドア部材の略上部に延設されるブラケットを吊りレールのガイド条にスライド可能に係合させることにより、吊りレールが、ドア部材を上方から支持すると共に、ドア部材の移動可能な方向をガイドしてドアの開閉に寄与させるスライド式ドアにおいて、各ドア部材のブラケットが、ドア部材のスライド方向における両端近傍の２箇所を含む複数箇所に配設されることを特徴とする。 
【００１０】
ここで、複数のブラケットの配設位置の中央を、ドア部材の重心の略鉛直上方に位置させて、ドア部材の安定吊下に寄与させてもよい。
【００１１】
また、吊りレールのガイド条として、ドア開閉のためのスライドをガイドする一本のスライドガイド条と、そのスライドガイド条から分岐する略線状であり、一方のドア部材のブラケットをそこに待避させることにより他方のドア部材のスライドへの干渉を抑止する待避ガイド条とを設けることにより、閉扉時の美観及び気密性と開扉時の美観に寄与させてもよい。
【００１２】
ドア部材の下方に、ドア部材の移動をガイドする凹状の下部ガイドを、吊りレールのガイド条の配置に呼応した配置で設けて、ドア部材の安定移動に寄与させてもよい。
【発明の効果】
【００１３】
請求項１に記載のスライド式ドアによると、ブラケットが、ドア部材のスライド方向における両端近傍の２箇所を含む複数箇所に配設されるので、ドア部材がバランス良く保持される。それに伴い、重いドア部材であっても、その下方に余分なスペースを必要とすることなく使用が可能になり、ドアを円滑に開閉させられる。
【００１４】
請求項２に記載のスライド式ドアによると、複数のブラケットの配設位置の中央が、ドア部材の重心の略鉛直上方に位置するので、ドア部材の吊下バランスが一層向上し、安定移動が得られる。
【００１５】
請求項３に記載のスライド式ドアによると、スライドガイド条から分岐した待避ガイド条を備えるので、そこでのドア部材の擦れ違い移動が可能になる。それに伴い、閉扉時には、複数のドア部材の端面同士を接した状態で、それらドア部材を一平面に揃えられるので、美観を良くすることと気密性を高めることができ、また、開扉時には、複数のドア部材の全体が重なった状態で揃えられるので、美観を向上させられる。
【００１６】
請求項４に記載のスライド式ドアによると、ドア部材の下方に下部ガイドが備わるので、ドア部材の安定移動が得られる。下部ガイドが凹状であるので、建具類に設置してもバリアフリーに寄与する。
【発明を実施するための最良の形態】
【００１７】
以下に実施例を挙げて、本発明の実施形態を説明する。なお、構造の細部は、本発明の趣旨から逸脱しない限り設計変更可能であり、公知技術を適宜利用できる。
図３は、本発明による典型的なスライド式ドアの要部斜視図、並びに、その上部と下部の拡大図である。
図示の例では、ドア部材３０は縦長の長方形状であるが、開扉時のドア開口部を閉鎖できる形状であればよいので、略板状の任意の形状のものが利用できる。
【００１８】
ドア部材３０の上端部には、２体のブラケット４０，４０が延設されている。
ブラケット４０は、後述の吊りレール２１のガイド条にスライド可能に係合される部材であり、ブラケット４０を介してドア部材３０は、吊りレール２１によって上方から支持されると共に、移動可能な方向をガイドされる。
図示の例では、ブラケット４０はドア部材３０の上端に設置されているが、ドア部材３０を上方から吊下できる形態であればよい。例えば、ドアの裏面側でドア部材３０の上端より低い位置に、ブラケット４０と吊りレールを設けることも可能であるので、ブラケット４０の設置位置は、ドア部材３０の略上部の任意位置に設定可能である。
【００１９】
図示のように、ブラケット４０を２体設置する場合は、ドア部材３０のスライド方向における両端近傍の２箇所に配設することが好ましい。
ブラケット４０は、ドア部材３０に対して３体以上を設置してもよい。
複数のブラケット４０の配設位置の中央を、ドア部材３０の重心の略鉛直上方に位置するように調整すると、ドア部材３０の吊下バランスが安定し移動も円滑に行えるようになる。なお、複数のブラケット４０の配設位置中央は、各ブラケット４０の位置を作用点として、ドア部材３０の重心に対する各モーメントを合成することによって簡略に求められる。
【００２０】
このように、ブラケット４０を、ドア部材３０のスライド方向における両端近傍の２箇所を含む複数箇所に配設すると、従来の片持ち支持に比べ、ドア部材３０がバランス良く保持される。それに伴って、ドアを開閉が円滑になり、重量の大きなドア部材３０であっても使用が可能になる。
また、従来の片持ち支持の場合では、ドア部材３０の下方に必要であったガイド部材が、必ずしも必要なくなり省スペースになった。図示の例では、ドア部材３０の下端部にも下部ブラッケト５０，５０が設置されているが、必須の構成要素ではない。
【００２１】
図４は、スライド式ドア上部の動作を模式的に示した平面図である。
図示の例では、２枚のドア部材３０，３０が設けられているが、ドア部材３０の数は３以上の任意数を設置可能である。
ドア部材３０は、そのブラケット４０を介して、略線状の吊りレール２１に吊下される。ブラケット４０は、吊りレール２１のガイド条２２，２３，２４にスライド可能に係合される。
ガイド条２２，２３，２４は、ブラケット４０の凸状部分を摺動可能に支持する凹状でも、ブラケット４０の凹状部分を摺動可能に支持する凸状でもよく、それがドア部材３０のスライド方向に延伸した略線状の任意のものが利用できる。
【００２２】
図示の例では、ガイド条としては、ドア開閉のためのスライドをガイドする一本の直線状のスライドガイド条２２と、その両端部に位置する曲線状の端部ガイド条２３と、スライドガイド条２２の中途から分岐する短い線状の待避ガイド条２４とが設けられている。
スライドガイド条２２は、ドア開閉のためにドア部材３０をスライドさせられればよいので直線状に限らず緩曲線状のものなども使用可能である。
端部ガイド条２３は、曲線状に限らず屈折した直線状などでもよく、また必須の構成要素ではない。
【００２３】
図は、１体のドア部材３０を移動させて、閉扉状態から開扉状態への変化を示している。
図４（Ａ）の閉扉状態では、各ドア部材３０のブラケット４０，４０がそれぞれ端部ガイド条２３と待避ガイド条２４とに係合して、安定した配置になっている。この時、２枚のドア部材３０，３０の端面３２，３２同士が接した状態で、ドア部材３０，３０が一平面に揃うので、美観と気密性の向上が可能である。
図４（Ｂ）のように、端部ガイド条２３に係合していたブラケット４０の側を軸にして、ドア部材３０を回動させると、待避ガイド条２４に係合していたブラケット４０を、スライドガイド条２２へ円滑に移動させられる。
図４（Ｃ）のように、待避ガイド条２４に係合していたブラケット４０がスライドガイド条２２に移動すると、ドア部材３０をスライドガイド条２２に沿って円滑にスライドさせられる。
図４（Ｄ）のように、ドア部材３０をスライドガイド条２２に沿ってスライドさせていくと、ブラケット４０，４０がそれぞれ端部ガイド条２３と待避ガイド条２４とに係合して安定した配置になっている他方のドア部材３０と、擦れ違いをさせることが可能になる。
【００２４】
このような擦れ違いを可能にするためには、ブラケット４０のドア部材３０から離反する方向への長さが、所定の長さ以上大きくなければならない。具体的には、図示のように、ブラケット４０におけるガイド条との係合中心位置４２と、ドア部材３０との間の距離が、他方のドア部材３０の厚みより大きい必要がある。
擦れ違いが可能であると、２枚のドア部材３０，３０の全体が重なった状態で揃えられるので、開扉時の美観を向上させられる。
【００２５】
図示の例では、待避ガイド条２４の数は、ドア部材３０の数と等しい２体であるが、３体以上の多数を設けてもよい。すると、所望の位置で擦れ違いを行えるようになる。
また、待避ガイド条２４を長く設計すると、一つの待避ガイド条２４に、複数のブラケット４０を縦列させて配置可能になるので、複数のドア部材３０を同一箇所に縦列させて待避させられるようにもなる。
更に待避ガイド条２４を延伸させると、全てのドア部材３０を離隔した場所にガイドして、ドア開口部を全開させたり、ドア部材３０を取り外すことも可能になる。
【００２６】
図５は、スライド式ドアの要部側面断面図、図６は、そのブラケット近傍部分の側面断面図及び正面断面図であり、特にブラケット４０とガイド条との係合関係の一例を示している。
ドア部材３０の上部には、屈曲した平板状の金具等から成るブラケット接続片４１が接続され、それにボルト等から成るブラケット係合中心部材４２が固定されている。ブラケット係合中心部材４２には、それを取り巻くブロック等から成るブラケット固定部材４３を介して、車軸４５が取り付けられている。車軸４５には、ベアリング４６を介して車輪４７が設けられている。
【００２７】
その車輪４７が、ガイド条２１に係合することにより、ドア部材３０の摺動可能な保持が司られている。
ブラケット４０における車軸４５の構造は、上記の一例に限らず従来公知の任意技術のものが利用できる。
【００２８】
図示のガイド条２１は、断面が四角形の管状であり、その内部に車輪４７が配置されているが、ガイド条２１の具体的な形状は、略Ｕ字形の開管状など、車輪４７と係合できる構成であれば任意のものが利用できる。
【００２９】
また、車輪４７のような回転体は、ブラケット４０側に設置しないで、ガイド条２１側に設けてもよく、ブラケット４０側とガイド条２１側の双方に設けてもよい。更に、車輪４７のような回転体は、必ずしも設置する必要ない。
【００３０】
なお、図６の例では、待避ガイド条２４の底面に僅かな高さの突条２５が形成されている。そのため、ブラケット４０が待避ガイド条２４に進入すると、ブラケット固定部材４３の端底部に形成されているスライダ部４４が突条２５に乗り上げ、車輪４７がスライドガイド条２２から浮き上がる。
これにより、車輪４７に負荷をかけることなく、ブラケット４０を待避ガイド条２４へ移動させられる。
【００３１】
図５に示したように、ドア部材３０の下端部には、下部ブラッケト５０が設置され、ドア部材３０の下方の床面１１に敷設された下部ガイド６０と係合している。この係合によって、ドア部材３０の移動がガイドされるが、必須の構成要素ではない。
また、ブラケット４０の鉛直下方に下部ブラッケト５０を一対一対応させて配置する必要もなく、ブラケット４０と下部ブラッケト５０との配置関係は独立させてもよい。
【００３２】
ドア部材３０の下部には、屈曲した平板状の金具等から成る下部ブラケット接続片５１が接続され、それにボルト等から成る下部ブラケット係合中心部材５２が固定されている。下部ブラケット係合中心部材５２には、ベアリング５３を介して車輪５４が設けられている。
その車輪５４が、下部ガイド６０に係合することにより、ドア部材３０の安定移動が図られている。
図示の例では、車輪５４が、凹状の下部ガイド６０の側面に摺動しているが、両者の係合関係は任意であり、従来公知の技術を適宜利用できる。
【００３３】
下部ブラケット５０における車軸５４の構造も、上記の一例に限らず従来技術の任意のものが利用できる。また、車輪５４のような回転体は、下部ブラケット５０側に設置しないで、下部ガイド６０側に設けてもよく、下部ブラケット５０側と下部ガイド６０側の双方に設けてもよい。更に、車輪５４のような回転体は、必ずしも設置する必要ない。
【００３４】
図７は、スライド式ドア下部を示す平面模式図である。
ドア部材３０の下方の床面１１に、ドア部材３０の移動をガイドする下部ガイド６０を、吊りレール２１のガイド条の配置に呼応した配置で設けて、ドア部材の安定移動に寄与させてもよい。
図示の例の下部ガイド６０には、ドア開閉のためのスライドをガイドする一本の直線状のスライド下部ガイド６１と、スライド下部ガイド６１の中途から分岐する短い線状の待避下部ガイド６２とが示されている。
図４で示したブラケット４０と吊りレール２１のガイド条２２，２３，２４との摺動関係と同様に、下部ブラッケト５０が、車輪５４を介して下部ガイド６０に摺動係合してガイドされる。
【００３５】
なお、スライド下部ガイド６１は、吊りレール２１のスライドガイド条２２の鉛直下方に、それと同様の配置を行なうが、前記のブラケット４０と下部ブラッケト５０との独立関係と同様に、待避下部ガイド６２は、必ずしも吊りレール２１の待避ガイド条２４に対応させて、その鉛直下方に配置しなくてもよい。
【００３６】
下部ガイド６０は、凸状でも凹状でも利用できるが、特に建具類に使用する場合は、図示の例のように、床面１１から突出する部分のない凹状に形成することがバリアフリーの点で好ましい。
【産業上の利用可能性】
【００３７】
本発明のスライド式ドアによると、重いドア部材であってもバランス良く保持され、円滑に開閉操作できる。それと共に、ドア部材の下方の床面にレール等のガイド部材を必ずしも必要としないので、建具類に用いる場合にはバリアフリーに寄与し、実用性が高い。
また、ドア部材の擦れ違い移動が容易なので、閉扉時には、複数枚のドア部材を一平面に揃えることにより、美観と気密性を高められ、開扉時には、複数枚のドア部材を重ねて揃えられることで、美観を高められる利点もある。
【図面の簡単な説明】
【００３８】
【図１】従来のスライド式ドア下部を示す平面模式図
【図２】従来のスライド式ドアを示す斜視説明図
【図３】本発明によるスライド式ドアの要部斜視図と、その上部及び下部の拡大図
【図４】スライド式ドア上部の動作を示す平面模式図
【図５】スライド式ドアの要部側面断面図
【図６】ブラケット近傍部分の側面断面図及び正面断面図
【図７】スライド式ドア下部を示す平面模式図
【符号の説明】
【００３９】
１０：壁等固定構造物、１１：床面、２０：レール、２１：吊りレール。２２：スライドガイド条、２３：端部ガイド条、２４：待避ガイド条、３０：ドア部材、３１：ドア部材端部、３２：ドア部材端面、４０：ブラケット、４１：ブラケット接続片、４２：ブラケット係合中心部材、４３：ブラケット固定部材、４４：スライダ部、４５：車軸、４６：ベアリング、４７：車輪、５０：下部ブラッケト、５１：下部ブラケット接続片、５２：下部ブラケット係合中心部材、５３：ベアリング、５４：車輪、６０：下部ガイド、６１：スライド下部ガイド、６２：待避下部ガイド。
【図１】
2007277878.tif 000003
【図２】
2007277878.tif 000004
【図３】
2007277878.tif 000005
【図４】
2007277878.tif 000006
【図５】
2007277878.tif 000007
【図６】
2007277878.tif 000008
【図７】
2007277878.tif 000009